(57)【要約】      （修正有）【課題】餅を上下方向に重ねてなる鏡餅を模した外形を呈し、内部に食用餅が収納される鏡餅容器と、前記鏡餅容器に脱着可能に取り付けられたマスコットと、を有する鏡餅飾りにおいて、マスコットに更なる付加価値を有する鏡餅飾りを提供する。【解決手段】餅を上下方向に重ねてなる鏡餅を模した外形を呈し、内部に食用餅が収納される鏡餅容器と、前記鏡餅容器に脱着可能に取り付けられたマスコット３と、を有する鏡餅飾りにおいて、マスコットが磁石３２を備えた構成とすることによって、鏡餅容器から外した後に磁性を有する部材に留めることが可能となる。磁性を有する部材は、例えばホワイトボードや冷蔵庫の開閉扉などが一例として挙げられ、マスコットは、メモ紙などを留めることなどに活用することができる。【選択図】図２
0003179318.tif 000002
【実用新案登録請求の範囲】
【請求項１】
餅を上下方向に重ねてなる鏡餅を模した外形を呈し、内部に食用餅が収納される鏡餅容器と、前記鏡餅容器に脱着可能に取り付けられたマスコットと、を有する鏡餅飾りであって、
前記マスコットは、前記鏡餅容器から外した後、磁性を有する部材に留めることができるように、磁石を備えていることを特徴とする鏡餅飾り。
【請求項２】
前記マスコットは、前記鏡餅容器から外した後、自立配置が可能なように底面に平坦部を有することを特徴とする請求項１に記載の鏡餅飾り。
【請求項３】
前記マスコットは、伸縮性を有する輪状の紐と接続されており、前記鏡餅容器のくびれの部位に前記紐を巻き掛けることによって脱着可能に取り付けられていることを特徴とする請求項１又は２に記載の鏡餅飾り。
【考案の詳細な説明】
【技術分野】
【０００１】
本発明は、例えば正月に飾られる鏡餅を模した鏡餅飾りに関する。
【背景技術】
【０００２】
鏡餅は、代々継承されている日本の伝統として、正月に家庭や店舗などで飾られている。近年においては、鏡餅の形状を模した鏡餅容器で餅（食用餅）を包装した商品が販売等されており、消費者は、この商品を正月に鏡餅として飾った後、鏡餅容器から食用餅を取り出して食することができる。このような商品は、鏡餅容器の上面や中段に橙や干支動物などの象形体（マスコット）を配置したり、三方等を付属したりするなど、種々の装飾が施されて販売等されている。
【先行技術文献】
【特許文献】
【０００３】
【特許文献１】特開２０１１−１９４１３３号公報
【考案の概要】
【考案が解決しようとする課題】
【０００４】
マスコットは、消費者の興味を引いて購入意欲を促進させる役割を担う。そのため、マスコットに更なる付加価値を追加することは購入意欲を促進させる有効な手段となり得る。本考案は、このような事情に基づきなされたものであり、その目的は、餅を上下方向に重ねてなる鏡餅を模した外形を呈し、内部に食用餅が収納される鏡餅容器と、前記鏡餅容器に脱着可能に取り付けられたマスコットと、を有する鏡餅飾りにおいて、マスコットに更なる付加価値を追加することにある。
【課題を解決するための手段】
【０００５】
本考案の鏡餅飾りは、以下の通りである。
（１）餅を上下方向に重ねてなる鏡餅を模した外形を呈し、内部に食用餅が収納される鏡餅容器と、前記鏡餅容器に脱着可能に取り付けられたマスコットと、を有する鏡餅飾りであって、前記マスコットは、前記鏡餅容器から外した後、磁性を有する部材に留めることができるように、磁石を備えていることを特徴とする。
（２）前記マスコットは、前記鏡餅容器から外した後、自立配置が可能なように底面に平坦部を有することを特徴とする。
（３）前記マスコットは、伸縮性を有する輪状の紐と接続されており、前記鏡餅容器のくびれの部位に前記紐を巻き掛けることによって脱着可能に取り付けられていることを特徴とする。
【考案の効果】
【０００６】
本考案の鏡餅飾りによれば、餅を上下方向に重ねてなる鏡餅を模した外形を呈し、内部に食用餅が収納される鏡餅容器と、前記鏡餅容器に脱着可能に取り付けられたマスコットと、を有する鏡餅飾りにおいて、マスコットが磁石を備えた構成としたことにより、鏡餅容器から外した後に磁性を有する部材に留めることが可能となる。磁性を有する部材は、例えばホワイトボードや冷蔵庫の開閉扉などが一例として挙げられ、マスコットは、メモ紙などを留めることなどに活用することができる。すなわち、マスコットに付加価値を追加することが実現され、このマスコットが消費者の興味を引いて購入意欲を促進させることが期待される。
【図面の簡単な説明】
【０００７】
【図１】本発明の実施形態に従う鏡餅飾りである。
【図２】上記鏡餅飾りが備えるマスコットの斜視図である。
【図３】上記鏡餅飾りが備えるマスコットの正面図である。
【図４】上記鏡餅飾りが備えるマスコットの背面図である。
【図５】上記鏡餅飾りが備えるマスコットの右側面図である。
【考案を実施するための形態】
【０００８】
以下、本考案の好ましい実施形態に従う鏡餅飾りについて、添付図面を参照しながら詳しく説明する。但し、以下に説明する実施形態によって本考案の技術的範囲は何ら限定解釈されることはない。
【０００９】
図１は、本考案の実施形態に従う鏡餅飾り１の外観斜視図である。図１に示すように、鏡餅飾り１は、上下に餅を重ねてなる鏡餅を模した外形の鏡餅容器２を備えている。上段の餅と下段の餅との境の部分（くびれの部分）には、例えば伸縮性を有する輪状の紐３１が巻き掛けられており、紐３１によって招き猫を模したマスコット３が鏡餅容器２の前面位置に取り付けられている。
【００１０】
鏡餅容器２は、底面が開口する中空の容器であって、底面開口部２１の外縁から外側に向かってフランジ部２２が形成されている。図の例では、外周縁を矩形状にしたフランジ部２２が形成されているが、矩形状に限定されることはなく外周縁を円形や楕円等に形成してもよい。鏡餅容器２の材料は、特に制限されないが流通時や店頭に並べたときに破断等しない強度を有する材料を用いる。好ましい材料は樹脂材であり、一例として、ポリエチレンやポリプロピレン等の熱可塑性樹脂を用いることができる。このとき、鏡餅を模した容器の意匠性を考慮して、実際の餅に近い色の材料を選定するか、或いは着色することが好ましい。なお、鏡餅を模した形状とは、図１に示すような２段重ね構造に限られず、例えば３段や４段などの複数段に重ねた構造であってもよい。さらに、丸餅ではなく、角餅を模した形状としてもよい。
【００１１】
鏡餅容器２は、内部が空洞になっており食用餅が収容される。食用餅は、各々包装された複数の餅を鏡餅容器に収容するタイプのものや、鏡餅容器２を成形型として餅を充填・成形した容器一体型のタイプのものがある。容器一体型のものは、流動性のある状態の餅を鏡餅容器２内に充填し、固化させることによって容器形状と相似形の餅を形成している。鏡餅容器２の底面開口部は、例えばフィルム材で底面開口部２１を底面側からラップしたり、別に製作した樹脂製の封止部材を底面開口部２１に底面側から嵌合したりして、封止することができる。
【００１２】
続いて、マスコット３について、図２〜図５を参照しながら説明する。
招き猫を模したマスコット３は、例えば陶器、プラスチック等の樹脂材料によって製作されている。マスコット３の背面には磁石３２が配置されており、例えば鏡開きの後、マスコット３を鏡餅容器２から外して磁性を有する部材（例えば、ホワイトボード、冷蔵庫の開閉扉など）に留めることができるようにしている。磁石３２は、例えば接着剤等でマスコット３の背面に取り付けられている。或いは、マスコット３の成形時において、内部に磁石３２を埋め込むようにし、磁石３２が外部に露出しないようにしてもよい。すなわち、マスコット３の荷重を支えることができる程度以上の磁性を発揮できればよく、磁石３２の種類及び取り付け方法は限定されない。
【００１３】
さらにマスコット３の背面には、マスコット３を鏡餅容器２に取り付けるための紐３１が接続されている。紐３１は、例えばゴム等の伸縮性を有するものを芯材とし、例えば紅白等の装飾を施した布等で覆って意匠性を高めている。紐３１は、１本の紐の両端を結ぶことによって輪状にしてもよく、或いは輪ゴム等のように無端状に成形してもよい。マスコット３の背面に例えば矩形状の凸部３３を形成し、さらに凸部３３に横方向に延びる貫通穴３４を形成して、貫通穴３４に紐３１を通すようにしている。
【００１４】
また、マスコット３の底面は、例えば棚やテレビ等にマスコット３を自立配置することが可能なように、平坦部３５が形成されている。図の例では、底面の全体を平坦に形成しているが必ずしも全面が平坦でなくともよく、脚部を形成するようにしてもよい。
【００１５】
マスコット３の形状は限定されることなく変形が可能である。また、招き猫を模した形状に限定されることもなく、例えば干支動物、七福神、その他の縁起物に代えることも可能である。
【００１６】
上述の実施形態に従う鏡餅飾りによれば、鏡餅容器２に脱着可能に取り付けられるマスコット３が磁石３２を備えたことにより、鏡餅容器２から外した後に磁性を有する部材に脱着可能に取り付けることが可能となる。磁性を有する部材は、例えばホワイトボードや冷蔵庫の開閉扉などが一例として挙げられ、メモ紙などを留めるなどにマスコット３を活用することができる。すなわち、マスコット３に付加価値を追加することが実現され、このマスコット３が消費者の興味を引いて購入意欲を促進させることが期待される。
【００１７】
さらに、上述の実施形態に従う鏡餅飾りによれば、マスコット３の底面が平坦に形成されており、例えば棚やテレビ等にマスコット３を自立配置することが可能である。すなわち、置物としての活用も可能である。
【００１８】
本考案は、その趣旨または主要な特徴から逸脱することなく、他の様々な形で実施することができる。そのため、前述の実施の形態はあらゆる点で単なる例示に過ぎず、限定的に解釈してはならない。本考案の範囲は、請求の範囲によって示すものであって、明細書本文には、なんら拘束されない。さらに、請求の範囲の均等範囲に属する全ての変形、様々な改良、代替および改質は、すべて本考案の範囲内のものである。
【符号の説明】
【００１９】
１    鏡餅飾り
２    鏡餅容器
３    マスコット
３１  紐
３２  磁石
【図１】
0003179318.tif 000003
【図２】
0003179318.tif 000004
【図３】
0003179318.tif 000005
【図４】
0003179318.tif 000006
【図５】
0003179318.tif 000007